(57)【要約】【課題】栓体による密封時に確実なロックが可能で、開閉操作に勝れて使い勝手がよく、防水性及び耐久性にも勝れた金属製小型容器を提供する。【課題の解決手段】栓体４を備えた蓋体５で容器本体３の開口部を密封するもので、容器本体３の内周面と栓体４の外周面には容器本体３に栓体４を挿入密閉した状態で互いに対応する位置にそれぞれスプリング収納溝８，９を設け、栓体４のスプリング収納溝９には周方向に傾斜して延びる縦穴を設け、円弧状で一端に折曲部を形成したスプリング１１をスプリング収納溝９に折曲部を縦穴に挿入した状態で嵌合してなり、折曲部の折曲げ角度を８０〜１２０度、円弧の中心角を１４０〜２７０度に設定したものである。【選択図】図１
0003167675.tif 000002
【実用新案登録請求の範囲】
【請求項１】
一端が開口され他端が閉塞された有底円筒状の容器本体と、この容器本体の前記開口を密封、開放すべく挿脱される栓体を備えた蓋体とからなる金属製小型容器であって、前記容器本体の内周面と前記栓体の外周面には前記容器本体に前記栓体を挿入密閉した状態で互いに対応する位置にそれぞれスプリング収納溝を穿設し、前記栓体のスプリング収納溝には周方向に傾斜して延びる縦穴を穿設し、円弧状で一端に折曲部を形成したスプリングを前記栓体のスプリング収納溝に前記折曲部を前記縦穴に挿入した状態で嵌合してなり、前記スプリングは、その折曲部の折曲げ角度であるスプリング内周の接線Ａと折曲部の直線部分の延長線Ｄのなす角Ｘが８０〜１２０度であり、円弧の中心角度である円弧の中心を通って前記接線Ａと交わる直線Ｂとスプリングの先端の延長線Ｃのなす角Ｙが１４０〜２７０度であることを特徴とする金属製小型容器。
【請求項２】
前記栓体には、前記スプリングよりも挿入先端側にゴム製Ｏリングを嵌着したことを特徴とする請求項１記載の金属製小型容器。
【考案の詳細な説明】
【技術分野】
【０００１】
本考案は、金属製小型容器に関し、特に、栓体を備えた蓋体によって液密に密封できる金属製小型容器に関する。
【背景技術】
【０００２】
従来の液密な密封性、換言すると防水性を備えたこの種容器は、蓋体あるいは栓体の開閉を回転して行なうネジ式のものが一般的であるが、蓋体や栓体に設けたボタンを押して収容物を排出可能とする押しボタン式や、蓋体や栓体に表示したマークを所定位置に合致させて蓋体や栓体を離脱可能としたり、収容物を排出可能とする所定位置設定式のものも知られている（特許文献１，２参照）。
【先行技術文献】
【特許文献】
【０００３】
【特許文献１】登録実用新案第３１１５８６０号公報
【特許文献２】登録実用新案第３０４５９０５号公報
【考案の概要】
【考案が解決しようとする課題】
【０００４】
ところが、上述した従来のネジ式のものでは、防水性の点ではさほど支障はないが、何回も回転させないと蓋体や栓体を開閉することができないので煩雑であるとともに、回転動作を繰り返すことによりネジの損傷が発生することもあって、使い勝手が悪いという不都合がある。また、上記押しボタン式のものは、防水性に難があるとともに、ボタンを設ける位置に制約があるので、デザインの点で自由度が少なく、デザイン性に勝れたもの得るのは困難であるという不都合がある。さらに、上記所定位置設定式のものは、マークが小さいため、視力の弱い者には位置合わせが容易でなく、使い勝手が悪いという不都合がある。
【０００５】
本考案は、このような従来の不都合を解消した金属製小型容器を提供することを目的とする。
【課題を解決するための手段】
【０００６】
この目的を達成するため、本考案の請求項１に係る金属製小型容器は、一端が開口され他端が閉塞された有底円筒状の容器本体と、この容器本体の前記開口を密封、開放すべく挿脱される栓体を備えた蓋体とからなる金属製小型容器であって、前記容器本体の内周面と前記栓体の外周面には前記容器本体に前記栓体を挿入密閉した状態で互いに対応する位置にそれぞれスプリング収納溝を穿設し、前記栓体のスプリング収納溝には周方向に傾斜して延びる縦穴を穿設し、円弧状で一端に折曲部を形成したスプリングを前記栓体のスプリング収納溝に前記折曲部を前記縦穴に挿入した状態で嵌合してなり、前記スプリングは、その折曲部の折曲げ角度であるスプリング内周の接線Ａと折曲部の直線部分の延長線Ｄのなす角Ｘが８０〜１２０度であり、円弧の中心角度である円弧の中心を通って前記接線Ａと交わる直線Ｂとスプリングの先端の延長線Ｃのなす角Ｙが１４０〜２７０度であることを特徴とする。この角Ｘと角Ｙの大きさの前記各範囲は、実験を重ねた結果見出したものである。また、前記縦穴の傾斜角度は前記角度Ｘに対応して設定する。
【０００７】
また、前記目的を達成するため、本考案の請求項２に係る金属製小型容器は、請求項１記載の金属製小型容器において、前記栓体の前記スプリングよりも挿入先端側にゴム製Ｏリングを嵌着したことを特徴とする。
【考案の効果】
【０００８】
本考案の請求項１に係る金属製小型容器によれば、先端を折曲げて栓体の縦穴に嵌合した円弧状スプリングと容器本体内周面との摩擦力によって、確実なロックが可能になるとともに、容器本体は円筒状なので栓体はどの位置からでも円滑に挿入可能であり、また、構造が簡単で安価に製造でき、耐久性にも勝れるほか、防水性にも勝れ、加えて、デザインの自由度が高いので所望のデザインにすることができ、さらには操作性に勝れて使い勝手がよいという効果を奏する。
【０００９】
本考案の請求項２に係る金属製小型容器によれば、前記効果に加えて、Ｏリングによるクッション性と防水性がより高まるという効果を奏する。
【図面の簡単な説明】
【００１０】
【図１】一部を断面とした全体図。
【図２】栓体に嵌着したスプリングと容器本体との関係を示す部分断面図。
【図３】スプリングの正面図。
【考案を実施するための形態】
【００１１】
以下、本考案の好適な実施形態を添付図面に基づいて説明する。図１に示すように、金属製小型容器１はチタン製で、一端が開口され他端が底蓋２で閉塞された有底円筒状の容器本体３と、この容器本体３の前記開口を密封、開放すべく挿脱される栓体４を備えた円筒状の蓋体５とからなる。前記容器本体３は、上部が外周側を削った肉薄に形成され、この肉薄部分の外周面に前記蓋体５の内周面が対接するよう嵌合される。この嵌合状態において、前記容器本体３の肉厚部分である下部の外周面と、前記蓋体５の外周面とがほぼ同一面を形成する。なお、６は前記底蓋２に嵌着した防水用のゴム製Ｏリング、７は前記容器本体３に嵌着した防水用のゴム製Ｏリングである。
【００１２】
容器本体３の内周面と栓体４の外周面には、図１に示す前記容器本体３に前記栓体４を挿入密閉した状態で、互いに対応する位置にそれぞれ全周に及ぶようスプリング収納溝８，９を穿設している。図２に示すように、前記栓体４のスプリング収納溝９には、周方向に傾斜して延びる縦穴１０を穿設している。この縦穴１０の周方向への傾斜角度は、後述するスプリング１１の折曲部１１ａの折曲げ角度と同一に設定する。
【００１３】
スプリング１１はステンレス製で、円弧状で一端に折曲部１１ａを備え、図２に示すように、栓体４のスプリング収納溝９に前記折曲部１１ａを縦穴１０に挿入した状態で嵌合している。図３に示すように、前記スプリング１１の折曲部１１ａの折曲げ角度は、スプリング内周の接線Ａと折曲部１１ａの直線部分の延長線Ｄのなす角Ｘが１００度であり、円弧の中心Ｏを通って前記接線Ａと交わる直線Ｂとスプリング１１の前記折曲げ端とは反対側端の延長線Ｃのなす角Ｙが２７０度である。
【００１４】
なお、角Ｘは折曲部１１ａの折曲げ前状態から折曲げ後状態に変位した折曲げ距離に対応し、角Ｙは前記折曲部１１の折曲げ基点から折曲げ端とは反対側端までの円弧の中心角に対応する。また、スプリング１１の外側の円弧の直径は、容器本体３の内径よりも若干大きく設定している。
【００１５】
図１に示すように、栓体４には、スプリング１１よりも上端側に２つのゴム製Ｏリング１２，１３を嵌着し、前記スプリング１１よりも下端側、換言すると挿入先端側に一つのゴム製Ｏリング１４を嵌着している。前記Ｏリング１２は栓体４と蓋体５との間での防水性を確保するためであり、前記各Ｏリング１３，１４は栓体４と容器本体３との間での防水性を確保するためである。また、前記Ｏリング１４は、前記栓体４を容器本体３内に挿入する時のクッション材としても機能する。
【００１６】
続いて、上述のように構成した金属製小型容器１における栓体４を備えた蓋体５による容器本体３の開口部の開閉動作について説明する。蓋体５内周面が容器本体３の上部外周面に対接するようにして、栓体４を前記容器本体３の開口部から内部に挿入すると、ゴム製Ｏリング１４がスプリング収納溝８に収まって、使用者の手に対する抵抗力は一旦弱まるが、その後の抵抗力は強くなって直線的に押し込むことは困難となる。
【００１７】
ここで、スプリング１１は、容器本体３の開口部側から見ると（図２図示状態）、折曲げ部１１ａから時計方向に延びる状態で栓体４のスプリング収納溝９内に配置されているので、栓体４を反時計方向に回転すると、折曲げ部１１ａが縦穴１０内に挿入される方向に回転することになる。したがって、この回転力にともなう容器本体３との摩擦力によって、スプリング１１は縮径するように変位し、この変位した状態で栓体４の挿入にともなって容器本体３内を円滑に進み、スプリング収納溝８内に収まる。そして、この収まった時の感触は使用者の手にも伝わる。なお、この栓体４の前記容器本体３内への挿入にあたっては、ゴム製Ｏリング１４がクッション部材及びガイド部材として機能することで、容易に行なわれる。
【００１８】
スプリング１１がスプリング収納溝８に収まった状態において、蓋体５を時計方向に回転すると、栓体４も同方向に回転して、上述とは逆にスプリング１１は拡径方向に変位するとともに、折曲部１１ａは縦穴２０から脱出する方向に変位する。これによって、前記スプリング１１は前記スプリング収納溝８面に弾接し、栓体４及び蓋体５は容器本体３に対してロック状態となり、前記容器本体３内は密封状態になる。
【００１９】
ここにおいて、各Ｏリング１２，１３，１４は防水機能を有するので、いわゆる完全防水が可能となる。すなわち、容器本体３内に紙を詰めた密封状態で金属製小型容器１を水を張った浴槽内に沈めて行なった防水テストでは、紙が全く濡れることなく、高い防水性が確認された。
【００２０】
栓体４及び蓋体５を容器本体３から脱却するには、まず、蓋体５を反時計方向に回転してスプリング１１を縮径状態としてロック状態を解除する。次いで、蓋体５を同方向に回転させながら栓体４を引き出すことにより、前記栓体４及び蓋体５を容器本体３から容易、かつ円滑に脱却することができる。
【００２１】
なお、本考案は上述の実施形態に限定されるものではなく、例えば、スプリング１１の折曲部１１ａの折曲げ角度Ｘは１００度に限らず、８０〜１２０度の範囲内であればよく、この角度に対応して縦穴１０の傾斜角度も設定されるものである。また、スプリング１１の円弧の中心角Ｙも２７０度に限らず、１４０〜２７０度の範囲内であればよいものである。さらに、金属製小型容器１の材質はチタンに限らず、ステンレスなどの他の金属でもよい。また、スプリング１１もステンレスに限らないことはもちろんである。
【符号の説明】
【００２２】
１      金属製小型容器
２      底蓋
３      容器本体
４      栓体
５      蓋体
６，７，１２，１３，１４      ゴム製Ｏリング
８，９      スプリング収納溝
１０      縦穴
１１      スプリング
１１ａ      折曲部
【図１】
0003167675.tif 000003
【図２】
0003167675.tif 000004
【図３】
0003167675.tif 000005